(57)【要約】【課題】変動入賞装置内に入賞した遊技球が変動入賞装置内の特定領域へ入賞することによって大当たりとなる遊技機において、磁気センサの数を増やすことなく、検出範囲を適正範囲にすることで磁石による不正行為を確実に防止する。【解決手段】遊技球を特定領域へ入賞させるか否かの最終的な振り分けを行う複数の回転体５１〜５３が配設されるとともに、遊技球を前記回転体に向けて誘導する複数の回転体誘導用球通路（左回転体誘導面５４ｄ、第二振分誘導面５４ｅ等）が上面側に形成された回転体ベース５４を、変動入賞装置２０内に設け、この回転体ベース５４の下面側には、磁気センサ８５が嵌め込まれるための溝部５４ｋを形成し、磁気センサ８５を溝部５４ｋに嵌入させるとともに、その下面側から取付部材８４を回転体ベース５４に取り付け、この取付部材５４により磁気センサ８５を挟み込むように取り付ける。【選択図】図１４
2008023206.tif 000002
【特許請求の範囲】
【請求項１】
所定入賞部への遊技球の入賞に基づいて遊技球を受け入れない閉状態から遊技球を受け入れる開状態へ変換して補助遊技を行う可動部材と、前記可動部材により受け入れられた遊技球が流入する遊技空間部と、該遊技空間部の下流側に配設された特定領域と、を有する変動入賞装置を備え、
前記補助遊技中に前記可動部材により受け入れられた遊技球が前記特定領域へ入賞すると、前記補助遊技よりも遊技者にとって有利な態様で前記可動部材を前記開状態へ変換する特別遊技を行う遊技機において、
前記変動入賞装置は、
前記可動部材により受け入れられた遊技球を前記特定領域へ入賞させるか否かの最終的な振り分けを行う複数の回転体と、
前記回転体が配設されるとともに、前記可動部材により受け入れられた遊技球を前記回転体に向けて誘導する複数の回転体誘導用球通路が上面側に形成された回転体ベースと、
磁気を検出する磁気センサと、
該磁気センサを取り付けるための取付部材と、を備え、
前記回転体ベースの下面側には、前記磁気センサが嵌め込まれるための溝部を形成し、
前記磁気センサを該溝部に嵌入させるとともに、その下面側から前記取付部材を前記回転体ベースに取り付け、当該取付部材により前記磁気センサを挟み込むように前記回転体ベースに取り付けたことを特徴とする遊技機。
【請求項２】
前記変動入賞装置は、
前記可動部材により受け入れられた遊技球が前記特定領域に案内される確率の低い第一通路と、
前記可動部材により受け入れられた遊技球が前記特定領域に案内される確率の高い第二通路と、
前記可動部材により受け入れられた遊技球を、前記第一通路と第二通路の何れか一方に振り分けて流す第一振分装置と、
前記第一通路の途中を流れている遊技球を再度振り分けて、前記第一通路の途中以降にそのまま流すか、或いは前記第二通路の途中以降に流す第二振分装置と、
前記第一通路を終端まで流れた遊技球を受け入れて回転運動により移送する球保持部を有する第一回転体と、
前記第二通路を終端まで流れた遊技球を受け入れて回転運動により移送する球保持部を有する第二回転体と、
前記第一回転体、もしくは前記第二回転体により移送された遊技球を受け入れて回転運動により移送する球保持部を有する第三回転体と、を備え、
前記第一回転体、前記第二回転体及び前記第三回転体が、前記複数の回転体として前記回転体ベースに配設されるとともに、前記第一通路及び前記第二通路の少なくとも一部が前記回転体誘導用球通路として前記回転体ベースに形成され、
前記第一回転体と第二回転体の球保持部としては、移送後に前記特定領域でない一般領域に遊技球が案内される一般球保持部と、移送後に前記第三回転体の球保持部に遊技球が案内される特定球保持部と、が所定の存在割合で設けられ、
前記第三回転体の球保持部としては、移送後に前記特定領域でない一般領域に遊技球が案内される一般球保持部と、移送後に前記特定領域に遊技球が案内される特定球保持部と、が所定の存在割合で設けられ、
前記第二振分装置を前記回転体ベースに取り付け、
前記取付部材が、前記第二振分装置を前記回転体ベースに取り付けるための補助取付部材としても機能する構成としたことを特徴とする請求項１に記載の遊技機。
【発明の詳細な説明】
【技術分野】
【０００１】
本発明は、パチンコ機などの遊技機に関する。
【背景技術】
【０００２】
パチンコ機などの遊技機では、現在だけでなく、かなり古くから遊技機に対する不正行為は数多い。特に第２種タイプに属する遊技機（例えば、センターケースの入賞装置内に入賞した遊技球がＶ穴（特定領域）に入賞するか否かによって大当たりを決する遊技機）では、その遊技球の転動が入賞率や、ひいては遊技者の利益を左右すると言っても過言ではない。そのため、例えばセンターケース内を転動する遊技球を所望の箇所（Ｖ穴等）へ誘導するため、遊技機をたたくことで衝撃を与えて遊技球の軌道に変化を持たせるようにしたり、遊技者に有利な状態を発生させるＶ穴付近で磁石により遊技球を停留させ、回転してくるＶ穴が当該停留させた遊技球の軌道にきた時点で磁石を遠ざけて一気に入賞させたりするという不正行為を行うような、悪意のある遊技者が後を絶たない。
そこで特許文献１では、そういった磁石による不正行為を防止する手段として、磁気センサを用いている。この不正検出装置においては、磁気センサは単独で設けるとその検出範囲に限界が出てくるので、磁性板を遊技盤裏面に配置し、その磁性板の角部や縁部に磁気センサを臨ませるように構成することで、より広範囲に亘る不正磁気を検出可能にしている。また、磁気センサを入賞具の後方側に一体的に設けたり、磁性板の一部を盤面に対して立ち上がり部分として形成し、その立ち上がり部分に磁気センサを臨ませたりすることで、磁気センサの取付位置の自由度を三次元的にもより広範囲にすることを実現している。
【０００３】
また、現在市場に登場している、所謂第２種タイプと呼ばれる機械の入賞装置としては、例えば、当該入賞装置に入賞してきた遊技球を左右に振り分けるためのシーソー（振分装置）を入賞装置上部に有するとともに、このシーソーによって左側の通路に振り分けられた遊技球を受け入れて特定領域又は一般領域（非特定領域）に向けて回転移送する左側回転体と、前記シーソーによって右側の通路に振り分けられた遊技球を受け入れて特定領域又は一般領域に向けて回転移送する右側回転体とを、入賞装置下部に備え、特定領域に向けて移送される確率を左側回転体と右側回転体とで異ならせることによって、特定領域流入の優劣を決定している入賞装置がある。このような入賞装置を備える機種では、悪意のある遊技者が、遊技球が左右の通路のうちの有利な方に振り分けられた場合に、できるだけ無駄なく特定領域へ入賞するように遊技球を磁石によって停留させる虞のある回転体上部に、磁気センサを配置して、その不正行為を防止するようにしているものがある。
【０００４】
【特許文献１】特開昭６２−６８４７３号公報
【発明の開示】
【発明が解決しようとする課題】
【０００５】
しかしながら、上記のような磁気センサでは、その検出範囲をより広くするため、磁性板を用いている。この点について、通常単に磁気センサを単独で設けただけでは、その検出範囲が狭く、より多くの磁気センサを取り付けたり、遊技盤に取り付けられる入賞口や入賞装置の数だけ磁気センサを設けたりすることが考えられるが、それではコスト面だけでなく、遊技盤に複数の磁気センサを取り付ける機構による遊技盤の耐久性、摩耗、劣化等の種々の問題が生ずる。
また、磁気センサの数を減らすために使用している磁性板についても、結局はその面積を広くとることでその検出範囲を広げているに過ぎないので、コスト面やその取り付けによる遊技盤の強度の問題は解決できない。
さらに、上記した市場の機械では、シーソーにより左右に振り分けられた後、不利な方に振り分けられた場合でも、可動物により再度有利な側の回転体の方へ遊技球を誘導する機構が設けられている為、シーソーの振分に失敗しても、当該可動物側で磁石を用いれば、回転体に向けて遊技球を誘導する機構を利用して回転体のＶ穴に向けて遊技球を誘導することが可能となる。さらに可動物側までは磁気センサの検出効果が発揮できない為、変動入賞装置内すべてを検出範囲として網羅するような配置の仕方は困難であり、結局のところ、磁気センサの数を増やすか、上記特許文献のように磁気センサと磁性板とを併用して用いることでしか検出範囲を広げることはできない。
そこで本発明は、上記のような問題点を解決するためになされたもので、磁気センサの数を増やすことなく、検出範囲を適正範囲にすることで磁石による不正行為を確実に防止できる遊技機を提供することを目的とする。
【課題を解決するための手段】
【０００６】
本願請求項１に記載の遊技機は、所定入賞部への遊技球の入賞に基づいて遊技球を受け入れない閉状態から遊技球を受け入れる開状態へ変換して補助遊技を行う可動部材と、前記可動部材により受け入れられた遊技球が流入する遊技空間部と、該遊技空間部の下流側に配設された特定領域と、を有する変動入賞装置を備え、
前記補助遊技中に前記可動部材により受け入れられた遊技球が前記特定領域へ入賞すると、前記補助遊技よりも遊技者にとって有利な態様で前記可動部材を前記開状態へ変換する特別遊技を行う遊技機において、
前記変動入賞装置は、
前記可動部材により受け入れられた遊技球を前記特定領域へ入賞させるか否かの最終的な振り分けを行う複数の回転体と、
前記回転体が配設されるとともに、前記可動部材により受け入れられた遊技球を前記回転体に向けて誘導する複数の回転体誘導用球通路が上面側に形成された回転体ベースと、
磁気を検出する磁気センサと、
該磁気センサを取り付けるための取付部材と、を備え、
前記回転体ベースの下面側には、前記磁気センサが嵌め込まれるための溝部を形成し、
前記磁気センサを該溝部に嵌入させるとともに、その下面側から前記取付部材を前記回転体ベースに取り付け、当該取付部材により前記磁気センサを挟み込むように前記回転体ベースに取り付けたことを特徴とする。
【０００７】
なお、本発明の好ましい態様として、例えば請求項２に記載のように、前記変動入賞装置は、
前記可動部材により受け入れられた遊技球が前記特定領域に案内される確率の低い第一通路と、
前記可動部材により受け入れられた遊技球が前記特定領域に案内される確率の高い第二通路と、
前記可動部材により受け入れられた遊技球を、前記第一通路と第二通路の何れか一方に振り分けて流す第一振分装置と、
前記第一通路の途中を流れている遊技球を再度振り分けて、前記第一通路の途中以降にそのまま流すか、或いは前記第二通路の途中以降に流す第二振分装置と、
前記第一通路を終端まで流れた遊技球を受け入れて回転運動により移送する球保持部を有する第一回転体と、
前記第二通路を終端まで流れた遊技球を受け入れて回転運動により移送する球保持部を有する第二回転体と、
前記第一回転体、もしくは前記第二回転体により移送された遊技球を受け入れて回転運動により移送する球保持部を有する第三回転体と、を備え、
前記第一回転体、前記第二回転体及び前記第三回転体が、前記複数の回転体として前記回転体ベースに配設されるとともに、前記第一通路及び前記第二通路の少なくとも一部が前記回転体誘導用球通路として前記回転体ベースに形成され、
前記第一回転体と第二回転体の球保持部としては、移送後に前記特定領域でない一般領域に遊技球が案内される一般球保持部と、移送後に前記第三回転体の球保持部に遊技球が案内される特定球保持部と、が所定の存在割合で設けられ、
前記第三回転体の球保持部としては、移送後に前記特定領域でない一般領域に遊技球が案内される一般球保持部と、移送後に前記特定領域に遊技球が案内される特定球保持部と、が所定の存在割合で設けられ、
前記第二振分装置を前記回転体ベースに取り付け、
前記取付部材が、前記第二振分装置を前記回転体ベースに取り付けるための補助取付部材としても機能する構成としてもよい。
【発明の効果】
【０００８】
請求項１に記載の遊技機によれば、変動入賞装置内において遊技球を特定領域に入賞させるか否かの最終的な振り分けを行う複数の回転体や、この回転体に向けて遊技球を誘導する回転体誘導用球通路が回転体ベースに設けられている。そして、この回転体ベースの下面側には、不正磁気を検出する磁気センサが嵌め込まれるための溝部が形成され、前記磁気センサが該溝部に嵌入され、その下面側から取付部材が回転体ベースに取り付けられ、当該取付部材により、前記磁気センサが挟み込まれるように取り付けられている。
このため、磁石による不正が行われやすい範囲（回転体誘導用球通路やその周辺部分）の不正磁気を一つの磁気センサで漏れなく的確に検出可能となり、磁気センサの検出範囲を適正範囲にすることで、磁気センサの数を増やすことなく磁石による不正行為を確実に防止できる。また、限られたスペースを利用した磁気センサの取付が可能である。また、改めてスペースを設けなくても、組付性の高い磁気センサの取付構造を実現できる。
【０００９】
また、請求項２に記載の遊技機によれば、第一振分装置によって第一通路に振り分けられた遊技球を再度第一通路又は第二通路に振り分ける第二振分装置が、複数の回転体（第一回転体、第二回転体及び第三回転体）や回転体誘導用球通路が設けられた回転体ベースに設けられている。そして、磁気センサを挟み込むように回転体ベースに取り付けるための前記取付部材が、前記第二振分装置を回転体ベースに取り付けるための補助取付部材としても機能する構成となっている。
このため、一つの磁気センサの検出範囲内に、磁石による不正が行われる可能性の高い他の部分（第二振分装置の部分）をさらに配置でき、磁気センサを複数設ける或いは磁性板を設けるなどのスペースや部品が多く必要な構成とすることなく、より広範囲の不正磁気を検出できる。また、磁気センサ取付用の前記取付部材が第二振分装置を取り付けるための補助取付部材としても機能するので、遊技球を振り分ける構成が多段階で複雑であるにもかかわらず、磁気センサの取付部や第二振分装置の配置部分の構造をコンパクト化しかつ簡素化することができ、コスト低減や遊技盤の耐久性向上等が実現できる。
【発明を実施するための最良の形態】
【００１０】
以下、本発明の実施の形態として、パチンコ機に適用した場合の形態例を、図面を参照して説明する。
Ａ．遊技盤の全体構成
図１は本形態例のパチンコ機の遊技盤の前面図である。
図１において、符号１は遊技盤であり、前面の略円形領域がガイドレール２で囲まれることにより遊技領域３が形成されている。
遊技盤１の前面には、図１に示すように、遊技領域３の底部に配置されたアウト球流入口４、左側遊技球流路５、右側遊技球流路６、センターケース１０、始動入賞口１１〜１３、一般入賞口１４，１５（左袖入賞口１４と右袖入賞口１５）、遊技状態表示ＬＥＤ１６、連続作動回数表示ＬＥＤ１７、風車と呼ばれる遊技球の流下方向変換部材７、多数の障害釘９などが設けられている。
【００１１】
ここで、センターケース１０は、遊技領域３を上下に区画するように、遊技領域３の上下方向略中央位置に配置されている。遊技盤１を構成する基板（いわゆるベニヤ）には、このセンターケース１０をはめ込むためのセンターケース用開口（図示省略）が形成されており、センターケース１０は、このセンターケース用開口にはめ込まれて取り付けられる。
このセンターケース１０における左側部と右側部には、装飾部１８と装飾部１９がそれぞれ設けられ、センターケース１０における左右方向中央部には、変動入賞装置２０が設けられている。
【００１２】
装飾部１８や装飾部１９は、演出用のキャラクタを模した人形１８ａ，１９ａを有する。この人形１８ａ，１９ａは、図示省略したアクチュエータによって動作する可動物であり、後述する演出制御装置２０７によって制御される（図２２参照）。
また装飾部１８や装飾部１９の上部には、中央部が上に突出するように湾曲した上面を有する鎧部１８ｂ，１９ｂが形成されている。鎧部１８ｂは、装飾部１８の上に流下した遊技球を、左側遊技球流路５又は後述する左側案内入口２４ａに流す機能を有する。鎧部１９ｂは、装飾部１９の上に流下した遊技球を、右側遊技球流路６又は後述する右側案内入口２５ａに流す機能を有する。
【００１３】
変動入賞装置２０は、上部中央に形成された鎧部２１と、この鎧部２１の左右両側斜め下方に配置され、所定入賞部（この場合、始動入賞口１１〜１３）への遊技球の入賞に基づいて遊技球を受け入れない閉状態から遊技球を受け入れる開状態へ変換して補助遊技を行う可動部材２２，２３と、これら可動部材２２，２３の何れかにより受け入れられた遊技球が流入する遊技空間部（主に鎧部２１の下方に形成された空間であり、詳細後述する）と、この遊技空間部の両側に別空間として形成された左側遊技領域案内通路２４及び右側遊技領域案内通路２５（図８に示す）と、鎧部２１の直下に設けられたラウンド表示器２６と、を有する。
鎧部２１は、中央部が上に突出するように湾曲した上面を有し、この鎧部２１の上に流下した遊技球を、この鎧部２１の左側又は右側に流下させる機能を有する。
【００１４】
可動部材２２，２３は、鎧部２１の左右両端の下方に配置された前後方向の回転軸２２ａ，２３ａ（図５に示す）を中心として、遊技盤１の盤面に沿って回動可能な羽根状の部材である。これら可動部材２２，２３は、先端側（回動端側）が各回転軸の上方に回転移動して鎧部２１の左右両端近傍（遊技球が通過しない程度接近した位置）に位置することによって、前記閉状態を実現し、先端側が各回転軸の左右方向外側に回転移動して鎧部２１から離れた位置（遊技球が通過可能な十分な距離だけ離れた位置）に位置することによって、前記開状態を実現する。なお図１では、可動部材２２，２３が閉状態にある場合と開状態にある場合の両方を図示している。また可動部材２２，２３は、それぞれソレノイド（図２２に示す左大入賞口ソレノイド２２ｂと右大入賞口ソレノイド２３ｂ）によって駆動される。
【００１５】
左側遊技領域案内通路２４は、遊技球を左側案内入口２４ａから左側案内出口２４ｂに流下させる遊技球の縦方向の流路である。左側案内入口２４ａは、左側の可動部材２２の前記回転軸の左斜め下方近傍に形成された開口である。左側案内出口２４ｂは、変動入賞装置２０の下部左側に形成された開口である。
また右側遊技領域案内通路２５は、遊技球を右側案内入口２５ａから右側案内出口２５ｂに流下させる遊技球の縦方向の流路である。右側案内入口２５ａは、右側の可動部材２３の前記回転軸の右斜め下方近傍に形成された開口である。右側案内出口２５ｂは、変動入賞装置２０の下部右側に形成された開口である。
またラウンド表示器２６は、後述する大当たりのラウンド抽選の結果等を表示する表示器であり、例えば７セグメントの表示部を２桁分有するものである。
なお、変動入賞装置２０のその他の構成については、後述する。
【００１６】
次に左側遊技球流路５は、センターケース１０の左側の装飾部１８とガイドレール２との間（遊技領域３の左縁部）に形成された遊技球１個分の幅を持つ流路である。また右側遊技球流路６は、センターケース１０の右側の装飾部１９とガイドレール２との間（遊技領域３の右縁部）に形成された遊技球１個分の幅を持つ流路である。
【００１７】
次に始動入賞口１１〜１３は、後述するように補助遊技を開始させる始動入賞口として機能する入賞口である。このうち、始動入賞口１１は、センターケース１０の中央部下方（アウト球流入口４の上方）に配置され、始動入賞口１２，１３は、始動入賞口１１の左右両側位置（左側案内出口２４ｂや右側案内出口２５ｂの下方位置）に配置されている。なお一般入賞口１４，１５は、始動入賞口１２，１３のさらに両側斜め上に配置されている。
この場合、始動入賞口１１に遊技球が入賞すると、前記可動部材２２，２３が所定時間開状態となった後に閉状態に戻る開閉動作が２回実行され、始動入賞口１２，１３に遊技球が入賞すると、前記開閉動作が１回実行される。なお、何れの始動入賞口１１〜１３に入賞しても、前記開閉動作の実行回数が同じである態様でもよい。
【００１８】
次に、遊技状態表示ＬＥＤ１６は、始動入賞口１１の右側に横並びで設けられた三つのＬＥＤよりなり、そのＬＥＤの点灯態様（例えば、点灯数、点灯色、点灯時間又はそれらの組合せ）によって遊技状態を表示するものである。
次に、連続作動回数表示ＬＥＤ１７は、遊技状態表示ＬＥＤ１６と同様に、始動入賞口１１の右側（遊技状態表示ＬＥＤ１６の上側）に横並びで設けられた三つのＬＥＤよりなり、そのＬＥＤの点灯態様（例えば、点灯数、点灯色、点灯時間又はそれらの組合せ）によって大当りのラウンド数を表示するものである。
【００１９】
風車７（流下方向変換部材）は、略前後方向の軸の回りに自転する回転体であり、この場合、左側案内入口２４ａの上方、右側案内入口２５ａの上方、左側案内出口２４ｂの下方、及び右側案内出口２５ｂの下方、の合計４箇所に設けられている。
このように遊技領域案内通路の入口と出口とに風車をそれぞれ備えることで、遊技領域案内通路の通過により画一化されやすい遊技球の動きに変化を与えることができる。
また、障害釘９は、センターケース１０などが配置される部分を除く遊技領域３内の適宜位置に設けられている。
【００２０】
なお本例の遊技盤１では、遊技領域３の上部（センターケース１０よりも上方）に打ち込まれた遊技球は、上側の障害釘９や風車７に当って流下方向を変化させつつ流れ落ち、前述の鎧部１８ｂ，１９ｂ，２１の作用によって、次のように流下する。まず、可動部材２２，２３が閉状態にある場合、前記遊技球は、左側遊技球流路５、右側遊技球流路６、左側案内入口２４ａ、及び右側案内入口２５ａのうちの何れかに流入して、遊技領域３の下部（センターケース１０よりも下方）に流下する。そして、可動部材２２，２３が開状態にある場合には、左側遊技球流路５、右側遊技球流路６、左側案内入口２４ａ、及び右側案内入口２５ａのうちの何れかに流入するか、或いは、可動部材２２，２３の内側（変動入賞装置２０の遊技空間部内）に受け入れられて変動入賞装置２０内に入賞する。
【００２１】
ここで、左側遊技球流路５又は右側遊技球流路６に流入した遊技球は、ガイドレール２に沿って遊技領域３の底部に向かって流れる構成となっており、高い確率でアウト球流入口４に流入する。
しかし、左側案内入口２４ａ又は右側案内入口２５ａに流入した遊技球は、左側案内出口２４ｂ又は右側案内出口２５ｂから遊技領域３の下部に流下して、下側の風車７や障害釘９に当って流下方向を変化させつつ流れ落ち、場合によっては、始動入賞口１１〜１３、或いは一般入賞口１４，１５のうちの何れかに入賞する。
【００２２】
Ｂ．変動入賞装置の構成
次に、本例の変動入賞装置２０の構成について、図２〜図１８を参照して説明する。
なお、図２は、変動入賞装置２０の斜視図である。図３は、変動入賞装置２０の前面図であり、図３（ａ）は後述する化粧板６１が取り付いた状態（磁気センサ８５及び取付部材８４は破線で示してある）、図３（ｂ）は化粧板６１を外した状態である。図４は、変動入賞装置２０の上部斜視図（右側の可動部材２３やラウンド表示器２６や鎧部２１等を取り外した状態の上部斜視図）である。図５は、変動入賞装置２０の要部斜視図（後述する化粧板６１や鎧部２１等を取り外した状態の斜視図）である。図６は、変動入賞装置２０の回転体ユニット５０を示す斜視図である。図７は、同じく回転体ユニット５０の要部斜視図（図６に示した左振分球導入部材５９と右振分球導入部材６０等を取り外した状態の斜視図）である。図８は、変動入賞装置２０を遊技盤面に平行な面で切断した断面図である。図９は、各回転体及びその駆動系を示す図であり、図９（ａ）は平面図、図９（ｂ）は図９（ａ）におけるＢ−Ｂ断面図、図９（ｃ）は図９（ａ）におけるＣ−Ｃ断面図、図９（ｄ）は図９（ａ）におけるＤ−Ｄ断面図である。図１０は、回転体ユニット５０を示す図であり、図１０（ａ）は平面図、図１０（ｂ）は図１０（ａ）におけるＡ−Ａ断面図である。図１１は、各回転体及びその駆動系を示す図であり、図１１（ａ）は平面図、図１１（ｂ）は図１１（ａ）におけるＥ−Ｅ断面図である。図１２は、各回転体及びその駆動系を示す図であり、図１２（ａ）は平面図、図１２（ｂ）は図１２（ａ）におけるＦ−Ｆ断面図、図１２（ｃ）は図１２（ａ）におけるＧ−Ｇ断面図である。図１３は、各回転体及びその駆動系を示す分解斜視図である。図１４は、回転体ユニット５０を示す分解斜視図である。図１５は、各回転体及びその駆動系を示す斜視図である。図１６は、後述する中回転体５１の球保持部によって遊技球が保持され移送される状態を示す正面図であり、（ａ）は一般領域に案内される球保持部に保持された場合、（ｂ）は特定領域に案内される球保持部に保持された場合を示す。図１７は、後述する中回転体５１の球保持部から遊技球Ｋが特定領域に流入する状態を示す正面図であり、（ａ）は球保持部から遊技球Ｋが流出し始めた状態、（ｂ）は特定領域に流入する状態（奥側に流れてゆく状態）を示す。図１８は、第二振分装置における遊技球の流れを説明する図であり、（ａ）は第一振分装置によって右側（第二通路）に振り分けられた遊技球Ｋが右側から第二振分装置に流入し後述する右振分球規制壁５４ｇで動きを規制された状態、（ｂ）は第一振分装置によって右側に振り分けられた遊技球Ｋが右側から第二振分装置に流入し後述する可動片８１で動きを規制された状態、（ｃ）は第一振分装置によって左側（第一通路）に振り分けられた遊技球Ｋが左側から第二振分装置に流入し後述する可動片８１で動きを規制された状態、（ｄ）は第一振分装置によって左側に振り分けられた遊技球Ｋが左側から第２振分装置に流入し後述する可動片８１を乗り越えて右側（第二通路）に流入した状態を示す。
【００２３】
変動入賞装置２０は、図２や図８に示すように、筐体であるケース３１の内部に遊技空間部が形成されたもので、底部には回転体ユニット５０を備える。
なお本例において、遊技空間部とは、可動部材２２，２３によって受け入れられて可動部材２２，２３の内側（鎧部２１の下方）に入賞した遊技球が存在する可能性のある変動入賞装置２０内の空間を意味する。
【００２４】
可動部材２２，２３の内側（鎧部２１の下方）には、図２に示すように、可動部材２２，２３によって受け入れられた遊技球を奥側に案内する入賞球案内棚３２が形成され、さらにこの入賞球案内棚３２の奥部には、図８に示すように、縦方向の入賞球落下穴３３が形成されている。この入賞球落下穴３３には、ここを落下する遊技球を検出するセンサとしてカウントスイッチ（カウントＳＷ）３４が設けられている。
可動部材２２，２３によって受け入れられた遊技球は、入賞球案内棚３２上を奥側に流れて入賞球落下穴３３内に流下し、上記カウントスイッチ３４で検出された後、後述する振分案内板３７上に落下する構成となっている。
【００２５】
図５や図８に示すように、入賞球落下穴３３の下方には、第一振分装置３５が設けられている。第一振分装置３５は、下面側に配置された前後方向の回転軸３６を中心として回動する振分案内板３７よりなり、入賞球落下穴３３から落下した遊技球の流下方向を左右に振り分けるシーソータイプのものである。即ち、振分案内板３７は、左右通過切替ソレノイド３７ａ（図２２に示す）によって駆動され、上面が左側に向かって下方に傾斜した左振分状態（図５や図８に示す状態）と、逆に上面が右側に向かって下方に傾斜した右振分状態と、に切り換わることが可能である。そして、振分案内板３７が左振分状態にあるときに入賞球落下穴３３から落下した遊技球は、振分案内板３７上を左方に流れ、振分案内板３７が右振分状態にあるときに入賞球落下穴３３から落下した遊技球は、振分案内板３７上を右方に流れる構成となっている。
【００２６】
次に、図４や図８に示すように、第一振分装置３５から左側には、左側振分流路３８が延設され、第一振分装置３５から右側には、右側振分流路３９が延設されている。
左側振分流路３８は、振分案内板３７から左斜め前方に向かって湾曲しつつ左側案内出口２４ｂの上方位置まで伸びる管路であり、その先端が下方に向かって開口し左側振分排出口３８ｂを形成している。そして、左振分状態にある振分案内板３７上を左方に流れた遊技球が、この左側振分流路３８に流入し、その先端開口（左側振分排出口３８ｂ）から落下する構成となっている。
右側振分流路３９は、振分案内板３７から右斜め前方に向かって湾曲しつつ右側案内出口２５ｂの上方位置まで伸びる管路であり、その先端が下方に向かって開口し右側振分排出口３９ｂを形成している。そして、右振分状態にある振分案内板３７上を右方に流れた遊技球が、この右側振分流路３９に流入し、その先端開口（右側振分排出口３９ｂ）から落下する構成となっている。
なお、図５において符号３８ａ，３９ａは、左側振分流路３８又は右側振分流路３９の後面側の壁を構成する部材を示す。
【００２７】
また、図５や図８に示すように、左側振分流路３８の途中（後述する排出用開口５５ｂの上方位置）には、左側振分流路３８から下方に分岐して遊技球を排出用開口５５ｂ内に流下させるバイパス流路３８ｃが形成され、さらにこの分岐部には、バイパス流路３８ｃの入口を開閉する通路切替部材３８ｄが設けられている。通路切替部材３８ｄは、大当たり通路切替ソレノイド３８ｅ（図２２に示す）によって駆動されて前後動し、バイパス流路３８ｃの入口を開放したバイパス開状態と、バイパス流路３８ｃの入口を閉鎖したバイパス閉状態と、を実現する構成となっている。
なお、第一振分装置３５から左側振分流路３８に流入した遊技球は、上記バイパス閉状態では、左側振分流路３８の先端まで流れて左側振分排出口３８ｂから落下するが、上記
バイパス開状態では、バイパス流路３８ｃから排出用開口５５ｂ内に落下する。
【００２８】
また、図３や図４に示すように、第一振分装置３５の前方（左側振分流路３８や右側振分流路３９の前面側）には、第一振分装置３５の作動状態を明示する振分状態明示手段４０が設けられている。この場合の振分状態明示手段４０は、遊技者が遊技盤前面側から視認可能で、前述の振分案内板３７と一体に回動する装飾部材４１（図の場合、コウモリを模した形状の部材）よりなる。この装飾部材４１は、振分案内板３７が左振分状態にあると、左側下方に傾いてこの左振分状態を遊技者に明示し、振分案内板３７が右振分状態にあると、右側下方に傾いてこの右振分状態を遊技者に明示する。
【００２９】
次に、変動入賞装置２０の底部に設けられた回転体ユニット５０について説明する。
回転体ユニット５０は、図６や図１４に示すように、中回転体５１、左回転体５２、右回転体５３、回転体ベース５４、左外れ球案内部材５５、右外れ球案内部材５６、中央前側案内部材５７、回転体間案内部材７０、第二振分装置８０、及び回転体駆動部９０などを有する。
【００３０】
ここで中回転体５１、左回転体５２、及び右回転体５３は、変動入賞装置２０の底部に横方向（左右方向）に配置された軸線（以下、回転体軸線という）を中心として、同軸上に配置されるもので、図６や図９に示すように、正面から見て上向きに回転駆動される回転体である。
このうち中回転体５１は、図１３に示すように、外側部材５１ａの内側に内側部材５１ｂをはめ込んだツーピース構造よりなり、全体としては、図１５や図９（ｃ）に示すような円盤状の形状となっている。
この中回転体５１は、前記回転体軸線を中心として配置されて、自転可能に支持されている。即ち、前記回転体軸線上には、図１３に示す回転軸５８が配置され、この回転軸５８は、図１３に示すブッシュタイプの軸受５８ａ，５８ｂによって、両端において回転体ベース５４に対して回転自在に支持されている。そして、上記回転軸５８は、中回転体５１の中心に形成された中心穴５１ｃに、所定の隙間を有して摺動自在に貫通している。これにより、中回転体５１は、上記回転軸５８の回転とは無関係に、上記回転軸５８を中心として（即ち、回転体軸線を中心として）回転可能となっている。なお、この中回転体５１は、変動入賞装置２０内底部の左右方向中央位置に配置される（即ち、回転軸５８の軸方向中央位置に配置される）。
【００３１】
また、図１５や図９（ｃ）に示すように、中回転体５１の外周には、周縁部を切り欠くことにより、後述する誘導溝５７ｂから流入する遊技球を保持可能な複数の球保持部５１ｄ，５１ｅが一定ピッチで全周に渡って形成されている。
ここで、球保持部５１ｄ，５１ｅのうち、一方の球保持部５１ｄは、大当りとなる特定領域に遊技球を誘導する球保持部であり、底面が右方に向かって遊技球を流すように傾斜している。これに対して、他方の球保持部５１ｅは、特定領域に遊技球を誘導しない球保持部であり、底面が左方に向かって遊技球を流すように傾斜している。また本例の場合、球保持部５１ｄ，５１ｅは、球保持部５１ｄが１箇所、球保持部５１ｅが３箇所、合計４箇所設けられており、中回転体５１に案内された遊技球は１／４の確率で特定領域に入賞する構成となっている。
なお、球保持部５１ｄ，５１ｅは、中回転体５１の中心軸線（即ち、前記回転体軸線）に対してオフセットされて配置されている。即ち、球保持部５１ｄ，５１ｅの中心軸線（球保持部５１ｄ，５１ｅの内側面に平行で、球保持部５１ｄ，５１ｅの幅方向中心位置を通る直線、図９（ｃ）に点線で示す）が、中回転体５１の中心軸線（即ち、前記回転体軸線）に交わらない位置に配置されている。
また本例の場合、この中回転体５１の球保持部５１ｄに入った遊技球のみが、特定領域に入賞する構成となっており、遊技者は、この中回転体５１に向けて遊技球が流れることを期待することになる。
【００３２】
また左回転体５２も、図１３に示すように、外側部材５２ａの内側に内側部材５２ｂをはめ込んだツーピース構造よりなり、全体としては、図１５や図９（ｄ）に示すような円盤状の形状となっている。
この左回転体５２は、前記回転体軸線を中心として配置されて、前記回転軸５８と一体に自転可能とされた部材である。即ち、前記回転軸５８の左端部５８ｃには、断面がＤ字状となる回り止め加工が施され、左回転体５２の中心に形成された中心穴５２ｃは、前記左端５８ｃの断面形状に対応したＤ字状の断面形状となっている。そして、前記回転軸５８の左端５８ｃは、前記中心穴５２ｃ内にはまり込み、これにより、左回転体５２は、上記回転軸５８と一体に前記回転体軸線を中心として回転する構成となっている。なお、この左回転体５２は、変動入賞装置２０内底部の左側（中回転体５１の左方）に配置される。
【００３３】
また、図１５や図９（ｄ）に示すように、左回転体５２の外周には、周縁部を切り欠くことにより、後述する左回転体誘導面５４ｄから流入する遊技球を保持可能な複数の球保持部５２ｄ，５２ｅが一定ピッチで全周に渡って形成されている。
ここで、球保持部５２ｄ，５２ｅのうち、一方の球保持部５２ｄは、中回転体５１に遊技球を案内する特定球保持部（特定領域に入賞して当りとなる可能性のある球保持部）であり、底面が右方に向かって遊技球を流すように傾斜している。これに対して、他方の球保持部５２ｅは、中回転体５１に遊技球を案内しない一般球保持部（特定領域に入賞する可能性の無い球保持部）であり、底面が左方に向かって遊技球を流すように傾斜している。また図１５に示すように、球保持部５２ｄは左側に側壁（符号省略）を有し、球保持部５２ｅは右側に側壁（符号省略）を有する。これら側壁によって、球保持部５２ｄから遊技球が左方に流れること、球保持部５２ｅから遊技球が右方に流れることが確実に阻止される構成となっている。
【００３４】
また本例の場合、球保持部５２ｄ，５２ｅは、球保持部５２ｄが１箇所、球保持部５２ｅが５箇所、合計６箇所設けられており、左回転体５２に案内された遊技球は１／６という比較的低い確率で中回転体５２に案内される。
なお、球保持部５２ｄ，５２ｅも、左回転体５２の中心軸線（即ち、前記回転体軸線）に対してオフセットされて配置されている。即ち、球保持部５２ｄ，５２ｅの中心軸線（球保持部５２ｄ，５２ｅの内側面に平行で、球保持部５２ｄ，５２ｅの幅方向中心位置を通る直線、図９（ｄ）に点線で示す）が、左回転体５２の中心軸線（即ち、前記回転体軸線）に交わらない位置に配置されている。
【００３５】
また右回転体５３も、図１３に示すように、外側部材５３ａの内側に内側部材５３ｂをはめ込んだツーピース構造よりなり、全体としては、図１５や図９（ｂ）に示すような円盤状の形状となっている。
この右回転体５３は、前記回転体軸線を中心として配置されて、前記回転軸５８と一体に自転可能とされた部材である。即ち、前記回転軸５８の右端部５８ｄには、断面がＤ字状となる回り止め加工が施され、右回転体５３の中心に形成された中心穴５３ｃは、前記右端５８ｄの断面形状に対応したＤ字状の断面形状となっている。そして、前記回転軸５８の右端５８ｄは、前記中心穴５３ｃ内にはまり込み、これにより、右回転体５３は、上記回転軸５８と一体に前記回転体軸線を中心として回転する構成となっている。なお、この右回転体５３は、変動入賞装置２０内底部の右側（中回転体５１の右方）に配置される。
【００３６】
また、図１５や図９（ｂ）に示すように、右回転体５３の外周には、周縁部を切り欠くことにより、後述する右回転体誘導面５４ｈから流入する遊技球を保持可能な複数の球保持部５３ｄ，５３ｅが一定ピッチで全周に渡って形成されている。
ここで、球保持部５３ｄ，５３ｅのうち、一方の球保持部５３ｄは、中回転体５１に遊技球を案内する特定球保持部であり、底面が左方に向かって遊技球を流すように傾斜している。これに対して、他方の球保持部５３ｅは、中回転体５１に遊技球を案内しない一般球保持部であり、底面が右方に向かって遊技球を流すように傾斜している。また図１５に示すように、球保持部５３ｄは右側に側壁（符号省略）を有し、球保持部５３ｅは左側に側壁（符号省略）を有する。これら側壁によって、球保持部５３ｄから遊技球が右方に流れること、球保持部５３ｅから遊技球が左方に流れることが確実に阻止される構成となっている。
また本例の場合、球保持部５３ｄ，５３ｅは、球保持部５３ｄが２箇所、球保持部５３ｅが２箇所、合計４箇所設けられており、右回転体５２に案内された遊技球は１／２という比較的高い確率で中回転体５２に案内される。
なお、球保持部５３ｄ，５３ｅも、右回転体５３の中心軸線（即ち、前記回転体軸線）に対してオフセットされて配置されている。即ち、球保持部５３ｄ，５３ｅの中心軸線（球保持部５３ｄ，５３ｅの内側面に平行で、球保持部５３ｄ，５３ｅの幅方向中心位置を通る直線、図９（ｂ）に点線で示す）が、右回転体５３の中心軸線（即ち、前記回転体軸線）に交わらない位置に配置されている。
【００３７】
次に、回転体ベース５４は、図１４に示すように、全体として水平に配置され、ケース３１の底部に固定される枠状の部材であり、内側に上下方向の開口部５４ａを有する。前述した各回転体（中回転体５１、左回転体５２、及び右回転体５３）は、下側がこの開口部５４ａ内に配置され、上側がこの開口部５４ａより上方に位置して、図３等に示すように、各回転体の少なくとも上側は遊技盤前面から遊技者が直接視認可能となっている。また本例では、後述するように中央前側案内部材５７がクリア部材よりなるため、各回転体は略全体が遊技盤前面から視認可能となっている。
これにより、遊技者は、特定入賞する或いはその可能性のある球保持部（球保持部５１ｄ、球保持部５２ｄ、球保持部５３ｄ）の各回転体における存在割合等を視認可能であり、この場合、第一振分装置３５等によって右側の通路（第二通路）に振り分けられることが有利であることを容易に認識でき、なるべく右回転体５３に振り分けられること、最終的には中回転体５１に案内されて球保持部５１ｄに遊技球が入ることを期待しながら、変動表示装置２０内での遊技球の動きを期待を持って注視することになる。
【００３８】
また回転体ベース５４の左側面と右側面には、図５や図６に示すように、左振分球導入部材５９と右振分球導入部材６０がそれぞれ固定される。
左振分球導入部材５９の上面には、第一振分装置３５によって左側に振り分けられた遊技球（左振分球）を、回転体ベース５４の前縁中央に向かってＬ字形の経路で流下させる左振分球導入路５９ａが形成されている。即ち、前述の左側振分流路３８の先端開口（左側振分排出口３８ｂ）から落下した遊技球は、この左振分球導入路５９ａ上に落ちて、この左振分球導入路５９ａを経由して後述する左振分球誘導面５４ｂ上に流れる構成となっている。
また、右振分球導入部材６０の上面には、第一振分装置３５によって右側に振り分けられた遊技球（右振分球）を、回転体ベース５４の前縁中央に向かってＬ字形の経路で流下させる右振分球導入路６０ａが形成されている。即ち、前述の右側振分流路３９の先端開口（右側振分排出口３９ｂ）から落下した遊技球は、この右振分球導入路６０ａ上に落ちて、この右振分球導入路６０ａを経由して後述する右振分球誘導面５４ｉ上に流れる構成となっている。
【００３９】
また回転体ベース５４の前縁には、図６や図１４等に示すように、左振分球誘導面５４ｂ、左回転体案内壁５４ｃ、左回転体誘導面５４ｄ、第二振分誘導面５４ｅ、第二振分用開口５４ｆ、右振分球規制壁５４ｇ、右回転体誘導面５４ｈ、及び右振分球誘導面５４ｉが、左端から右端に向かって順に形成されている。
なお、上記球通路（左振分球誘導面５４ｂ、左回転体誘導面５４ｄ、第二振分誘導面５４ｅ、右回転体誘導面５４ｈ、及び右振分球誘導面５４ｉ）は、回転体ベース５４に形成されて遊技球を回転体（この場合、左回転体５２又は右回転体５３）に向けて誘導する本発明の回転体誘導用球通路に相当する。
【００４０】
左振分球誘導面５４ｂは、左振分球導入路５９ａを流下した遊技球をさらに右方に流すよう右に向かって下方に傾斜した遊技球の転動面である。
左回転体案内壁５４ｃは、左振分球誘導面５４ｂの終端から下方に形成された略鉛直方向の壁であり、奥に向かって左側に傾斜している（図１０（ａ）参照）。なお、この左回転体案内壁５４ｃは、左回転体５２の前方位置に配置されている。
左回転体誘導面５４ｄは、左回転体案内壁５４ｃの下端から左回転体５２の近傍まで伸びる遊技球の転動面であり、遊技球を奥方に（左回転体５２に向けて）流すように奥に向かって下方に傾斜している。なお既述したように、この左回転体誘導面５４ｄを流下した遊技球は、左回転体５２の何れかの球保持部に流入する。
【００４１】
第二振分誘導面５４ｅは、遊技球を基本的に左方に流すよう左に向かって下り傾斜した遊技球の転動面であり、左回転体誘導面５４ｄから右方向に伸びて中回転体５１の前方位置まで達している。
第二振分用開口５４ｆは、第二振分誘導面５４ｅと右回転体誘導面５４ｈの間の位置に形成された開口（上下及び前面が開口した凹部）であり、後述する可動片８１が配置される空間を形成する部分である。
右回転体誘導面５４ｈは、右回転体５３の前方位置から右回転体５３の近傍まで伸びる遊技球の転動面であり、遊技球を奥方に（右回転体５３に向けて）流すように奥に向かって下り傾斜している。なお既述したように、この右回転体誘導面５４ｈを流下した遊技球は、右回転体５３の何れかの球保持部に流入する。
【００４２】
右振分球規制壁５４ｇは、右回転体誘導面５４ｈの前部左側に上方に突出するように形成された凸部の内側面（略鉛直方向の面）によって形成された壁であり、奥に向かって左側に傾斜している（図６参照）。
右振分球誘導面５４ｉは、右振分球導入路６０ａを流下した遊技球をさらに左方に流すよう左に向かって下り傾斜した遊技球の転動面である。
【００４３】
なお、左振分球誘導面５４ｂを流下した遊技球は、第二振分誘導面５４ｅ上に流下し、後述する可動片８１が上方に突出している突出状態では、第二振分誘導面５４ｅを通過してさらに右方に流れることを可動片８１によって阻止され（図１８（ｃ）参照）、最終的には、第二振分誘導面５４ｅを下って戻り、左回転体案内壁５４ｃに案内されて左回転体誘導面５４ｄ上を流下し、左回転体５２の何れかの球保持部に流入する。しかし、後述する可動片８１が下方に没している状態（図６に示す）では、場合によっては、第二振分誘導面５４ｅを通過し可動片８１を乗り越えて右回転体誘導面５４ｈ上に流れ（図１８（ｄ）参照）、右回転体５３の何れかの球保持部に流入する。
一方、右振分球誘導面５４ｉを流下した遊技球は、右振分球規制壁５４ｇ又は可動片８１に案内されて（図１８（ａ），（ｂ）参照）、右回転体誘導面５４ｈ上を奥に流れ、右回転体５３の何れかの球保持部に流入する。
なお、右振分球誘導面５４ｉを流下した遊技球は、可動片８１が下方に没している状態であっても、右振分球規制壁５４ｇにより流下方向が変換されて右回転体誘導面５４ｈ上に案内されるものである。また、万が一右振分球規制壁５４ｇを乗り越えることがあったとしても第二振分誘導面５４ｅ側に通り抜けることのないように突出状態にある可動片８１によって阻止されるよう第一振分装置３５と第二振分装置８０の作動タイミングが設定されることで、右振分球誘導面５４ｉを流下した遊技球は、確実に右回転体５３の何れかの球保持部に流入する。
【００４４】
また図２に示すように、回転体ベース５４の前端面には、装飾用の化粧板６１が取り付けられる。この化粧板６１の上辺部６１ａは、前述した左振分球誘導面５４ｂや右振分球誘導面５４ｉ等の上を流れる遊技球が、前方に落下しないように阻止するガイド壁として機能している。また、この化粧板６１は、第二振分用開口５４ｆの前面側を覆う部材としても機能している。
【００４５】
次に、左外れ球案内部材５５について説明する。左外れ球案内部材５５は、左回転体５２の左側に配置され、回転体ベース５４の左側部（左振分球誘導面５４ｂの後方）に固定される部材である。この左外れ球案内部材５５は、図１４に示すように、案内壁５５ａと、排出用開口５５ｂと、取付ガイド部５５ｃと、軸受穴５５ｄとを有する。
取付ガイド部５５ｃは、左回転体５２の内側（中心軸側）にはまり込む半円形状の筒状部分であり、この取付ガイド部５５ｃの内側に軸受穴５５ｄが形成されたボス（符号省略）が形成されている。
軸受穴５５ｄは、前記回転体軸線上に配置されて、前記回転軸５８の左端５８ｃが前記軸受５８ａを介してはめ込まれる穴である。前記回転軸５８の左端５８ｃは、この軸受穴５５ｄと軸受５８ａによって回転自在に支持されている。
【００４６】
案内壁５５ａは、取付ガイド部５５ｃの左側に形成され、取付ガイド部５５ｃよりも外周方向に張り出している半円盤状の壁であり、左回転体５２の左側に隣接して配置される。この案内壁５５ａは、左回転体５２の外周部の左側面に対向する案内面５５ｅを右側面に有する。この案内面５５ｅは、左回転体５２の球保持部５２ｅに保持された遊技球が、移送中に球保持部５２ｅから左方に流れ出さないように阻止する壁面である。この案内面５５ｅは、図３に示すように、下端側（前述した左回転体誘導面５４ｄの位置）から上端側（排出用開口５５ｂの位置）に近づくにつれて、左回転体５２の左側面から左方に離れるように傾斜している。
【００４７】
排出用開口５５ｂは、前記球保持部５２ｅに保持された遊技球が左回転体５２の回転に伴って移送されて頂上位置に到達したときに、球保持部５２ｅから遊技球を受け入れる開口であり、案内壁５５ａの頂部に形成されている。この排出用開口５５ｂに流入した遊技球は、左外れ球案内部材５５の下方に落下し、図示省略した残存球排出口から変動入賞装置２０の外部に排出される。
なお、残存球排出口には、ここを通過する遊技球を検出するセンサとして残存球排出口ＳＷ６５（図２２に示す）が設けられている。
なお、案内面５５ｅの傾斜により、球保持部５２ｅにより保持される遊技球は、上方への移送過程で次第に左側へと案内されるので、移送後の保持解除を滞りなく行うことができ球噛みを好適に防止することができる。
【００４８】
次に、右外れ球案内部材５６について説明する。右外れ球案内部材５６は、右回転体５３の右側に配置され、回転体ベース５４の右側部（右振分球誘導面５４ｉの後方）に固定される部材である。この右外れ球案内部材５６は、図１４に示すように、案内壁５６ａと、排出用開口５６ｂと、取付ガイド部５６ｃと、軸受穴（図示省略）とを有する。
取付ガイド部５６ｃは、右回転体５３の内側（中心軸側）にはまり込む半円形状の筒状部分であり、この取付ガイド部５６ｃの内側に上記軸受穴が形成されたボス（図示省略）が形成されている。
上記軸受穴は、前記回転体軸線上に配置されて、前記回転軸５８の右端５８ｄが前記軸受５８ｂを介してはめ込まれる穴である。前記回転軸５８の右端５８ｄは、この右外れ球案内部材５６の軸受穴と軸受５８ｂによって回転自在に支持されている。
【００４９】
案内壁５６ａは、取付ガイド部５６ｃの右側に形成され、取付ガイド部５６ｃよりも外周方向に張り出している半円盤状の壁であり、右回転体５３の右側に隣接して配置される。この案内壁５６ａは、右回転体５３の外周部の右側面に対向する案内面５６ｅを左側面に有する。この案内面５６ｅは、右回転体５３の球保持部５３ｅに保持された遊技球が、移送中に球保持部５３ｅから右方に流れ出さないように阻止する壁面である。この案内面５６ｅは、図３に示すように、下端側（前述した右回転体誘導面５４ｈの位置）から上端側（排出用開口５６ｂの位置）に近づくにつれて、右回転体５３の右側面から右方に離れるように傾斜している。
【００５０】
排出用開口５６ｂは、前記球保持部５３ｅに保持された遊技球が右回転体５３の回転に伴って移送されて頂上位置に到達したときに、球保持部５３ｅから遊技球を受け入れる開口であり、案内壁５６ａの頂部に形成されている。この排出用開口５６ｂに流入した遊技球は、右外れ球案内部材５６の下方に落下し、前述した残存球排出口から変動入賞装置２０の外部に排出される。
なお、案内面５６ｅの傾斜により、球保持部５３ｅにより保持される遊技球は、上方への移送過程で次第に右側へと案内されるので、移送後の保持解除を滞りなく行うことができ球噛みを好適に防止することができる。
【００５１】
次に、中央前側案内部材５７について説明する。中央前側案内部材５７は、中回転体５１や回転体間案内部材７０の前面を覆うように、回転体ベース５４の前部（第二振分誘導面５４ｅの後方）の上面に固定される部材である。この中央前側案内部材５７の上面には、左右方向から流入した遊技球を中央部に流すように全体として中央に向かって下り傾斜した誘導面５７ａが形成されている。そして、誘導面５７ａの左右方向中央（左右方向における中央部）には、奥側に向かって下り傾斜した誘導溝５７ｂが形成されている。また、誘導面５７ａの前端と両側端には、誘導面５７ａから遊技球が前方又は側方に流下するのを阻止するガイド壁５７ｃが立設されている。
なお、この中央前側案内部材５７は、クリア材（透明又は半透明の材料）によって形成され、この中央前側案内部材５７を介して中回転体５１等が前面から透視可能となっている。
【００５２】
次に、回転体間案内部材７０について説明する。回転体間案内部材７０は、図１４に示すように、中回転体５１と左回転体５２の間に配置される案内部７１と、中回転体５１と右回転体５３の間に配置される案内部７２とを有する。
そして、案内部７１の上面の前側には、前方に下り傾斜した遊技球の転動面７１ａが形成され、案内部７１の上面の後側には、後方に下り傾斜した遊技球の転動面７１ｂが形成され、転動面７１ａと転動面７１ｂの境界には、隔壁７１ｃが立設されている。また、案内部７２の上面の前側には、前方に下り傾斜した遊技球の転動面７２ａが形成され、案内部７２の上面の後側には、後方に下り傾斜した遊技球の転動面７２ｂが形成され、転動面７２ａと転動面７２ｂの境界には、隔壁７２ｃが立設されている。
【００５３】
ここで、転動面７２ｂは、遊技球が流入すると大当たりとなる入賞領域（本発明の特定領域）を構成している。
また、転動面７１ｂは、遊技球が流入しても大当たりとならない入賞領域（本発明の一般領域）を構成している。
なお、転動面７１ｂや転動面７２ｂに流下した遊技球は、回転体間案内部材７０の後方から落下して、最終的には、前述した残存球排出口から変動入賞装置２０の外部に排出される。
【００５４】
また、案内部７１は、左回転体５２の外周部の右側面に対向する案内面７１ｄを左側面に有する。この案内面７１ｄは、左回転体５２の球保持部５２ｄに保持された遊技球が、移送中に球保持部５２ｄから右方に流れ出さないように阻止する壁面である。
なお、左回転体５２の球保持部５２ｄに保持された遊技球は、左回転体５２の回転に伴って球保持部５２ｄが転動面７１ａの位置（隔壁７１ｃより前方位置）にきた時に、転動面７１ａ上に流下し、この転動面７１ａを経由して前述した誘導面５７ａ上に流下し、さらに前述の誘導溝５７ｂを経由して中回転体５１の何れかの球保持部に流入する構成となっている。
【００５５】
また、案内部７２は、右回転体５３の外周部の左側面に対向する案内面７２ｄを右側面に有する。この案内面７２ｄは、右回転体５３の球保持部５３ｄに保持された遊技球が、移送中に球保持部５３ｄから左方に流れ出さないように阻止する壁面である。
なお、右回転体５３の球保持部５３ｄに保持された遊技球は、右回転体５３の回転に伴って球保持部５３ｄが転動面７２ａの位置（隔壁７２ｃより前方位置）にきた時に、転動面７２ａ上に流下し、この転動面７２ａを経由して前述した誘導面５７ａ上に流下し、さらに前述の誘導溝５７ｂを経由して中回転体５１の何れかの球保持部に流入する構成となっている。
【００５６】
また、案内部７１や７２の内側（下面側）には、後述するギア９５，９６（図１５参照）との干渉を避けるための円弧状の切欠き７１ｅ，７２ｅが形成されている。
なお図１４において、符号６２は、転動面７２ｂを流下した遊技球が前記残存球排出口から排出される前に、この遊技球を検出する特定領域ＳＷを示す。また図１４において、符号６３は、この特定領域ＳＷ６２を回転体ベース５４に対して取り付けるための取付部材である。
また図６に示すように、回転体間案内部材７０の後部上面側には、遊技盤前面から視認可能な装飾板６４が取り付けられ、この装飾板６４の所定位置（転動面７２ｂの上方）には、大当りとなる入賞領域であることを示す「Ｖ」の文字６４ａが設けられている。
【００５７】
なお、以上説明したなかで、左側振分流路３８、左振分球導入路５９ａ、左振分球誘導面５４ｂ、第二振分誘導面５４ｅ、及び左回転体誘導面５４ｄよりなる遊技球の通過経路（左回転体５２に向かう経路）が、本発明の第一通路（可動部材により受け入れられた遊技球が特定領域に案内される確率の低い通路）を構成している。
また、右側振分流路３９、右振分球導入路６０ａ、右振分球誘導面５４ｉ、及び右回転体誘導面５４ｈよりなる遊技球の通過経路（右回転体５３に向かう経路）が、本発明の第二通路（可動部材により受け入れられた遊技球が特定領域に案内される確率の高い通路）を構成している。
ここで、第二振分誘導面５４ｅは、変動入賞装置２０の左右方向中央よりも右側に伸びており、第二振分用開口５４ｆ（可動片８１）の位置は、前記左右方向中央よりも右側に格段に偏っている。このため、前記第一通路と第二通路とで第一振分装置３５から第二振分装置８０（可動片８１）までの距離を比較したときには、前記第一通路の方が格段に長くなっている。
これにより、第一通路の経路により遊技球が流下した場合と、第二通路の経路により遊技球が流下した場合とを比較すると、第一振分装置３５から第二振分装置８０に至る流下時間は第二通路の経路により遊技球が流下した場合の方が短時間となる。
したがって、通路の切替順序を第二通路、第一通路の順とすることで、各々の経路を流下する遊技球が第二振分装置８０において接近する不都合を十分な余裕時間を持って回避することができる。
【００５８】
次に、第二振分装置８０について説明する。第二振分装置８０は、図１４や図１０（ｂ）に示すように、第二振分用開口５４ｆ内にはめ込まれた状態で上下動可能に支持された角柱状の可動片８１と、この可動片８１を駆動する駆動源である床ソレノイド（床ＳＯＬ）８２と、床ソレノイド８２の出力によって可動片８１を駆動するリンク機構８３と、リンク機構８３等を回転体ベース５４に対して取り付けるための取付部材８４と、この取付部材８４によって保持されて第二振分誘導面５４ｅの下面側に配置される磁気センサ８５と、を有する。
ここで、磁気センサ８５は、磁石による不正行為を検知するために磁気を検出するセンサであり、この磁気センサ８５の取付構成等の詳細については後述する。なお、この磁気センサ８５としては、例えば磁気機械的な動作原理により検出電気信号を出力するリード・スイッチとか、磁気電子的な動作原理により検出電気信号を出力するホール素子や磁気抵抗素子等を採用することができる。
可動片８１は、床ソレノイド８２の動作による上下動によって、図６に示すように先端部が第二振分用開口５４ｆ内に没した没状態と、図２や図５に示すように先端部が第二振分用開口５４ｆよりも上方に突出した突出状態と、に位置変更可能である。
なお、可動片８１の上面は、右方に向かって上り傾斜した形状となっていて、左からの遊技球が乗り越え易く、右からの遊技球は乗り越え難いようになっている。
【００５９】
床ソレノイド８２は、可動片８１の後方斜め下に配置され、前後動する出力軸８２ａを有する。
リンク機構８３は、図１０（ｂ）に示すように、駆動リンク部材８３ａと、従動リンク部材８３ｂとよりなる。駆動リンク部材８３ａは、床ソレノイド８２の出力軸８２ａに固定された部材である。従動リンク部材８３ｂは、可動片８１の下部後方に配置された左右方向の回転軸８３ｃによって回転自在に支持されたＬ字形のリンク部材である。この従動リンク部材８３ｂは、一端がピン８３ｄによって駆動リンク部材８３ａに相対回転可能に連結され、他端が可動片８１の下端にピン８３ｅ（図１４に示す）によって相対回転可能に連結されている。この構造によって、床ソレノイド８２がオフして出力軸８２ａが前進すると、従動リンク部材８３ｂの他端が上向に動く方向に従動リンク部材８３ｂが回動し、これによって可動片８１が上方に押されて前述の突出状態の位置に移動する。また、床ソレノイド８２がオンして出力軸８２ａが後退すると、従動リンク部材８３ｂの他端が下向に動く方向に従動リンク部材８３ｂが回動し、これによって可動片８１が下方に引かれて下降して前述の没状態の位置に移動する。
【００６０】
次に、回転体駆動部９０について説明する。回転体駆動部９０は、図１１や図１３〜図１５に示すように、駆動ギア９１，９２、伝動ギア９３，９４、従動ギア９５，９６、駆動ギア支持部材９７，９８、伝動ギア支持部材９９、モータセンサ（回転体Ｃモータセンサ１０１と回転体ＬＲモータセンサ１０２、図１３に示す）、及びセンサ支持部材１０３を備える。
従動ギア９５は、図１１に示すように、前記回転体軸線を中心として中回転体５１の右隣に配置され、中回転体５１に固定されている。
従動ギア９６は、図１１に示すように、前記回転体軸線を中心として左回転体５２の右隣に配置され、左回転体５２に固定されている。
伝動ギア９３は、従動ギア９５の後方に配置され、伝動ギア支持部材９９の後部右側面に回転自在に取り付けられて、従動ギア９５と駆動ギア９１に噛み合って回転するギアである。
【００６１】
伝動ギア９４は、従動ギア９６の後方に配置され、伝動ギア支持部材９９の後部左側面に回転自在に取り付けられて、従動ギア９６と駆動ギア９２に噛み合って回転するギアである。
駆動ギア９１は、伝動ギア９３の後方に配置され、駆動ギア支持部材９７に回転自在に取り付けられて、伝動ギア９３に噛み合って回転するギアである。なお、この駆動ギア９１は、駆動ギア支持部材９７の右側面に取り付けられたモータ（図２２に示す回転体Ｃモータ１０４）によって駆動される。
駆動ギア９２は、伝動ギア９４の後方に配置され、駆動ギア支持部材９８に回転自在に取り付けられて、伝動ギア９４に噛み合って回転するギアである。なお、この駆動ギア９２は、駆動ギア支持部材９８の左側面に取り付けられたモータ（図２２に示す回転体ＬＲモータ１０５）によって駆動される。
【００６２】
駆動ギア支持部材９７は、駆動ギア９１の右側に立設される板状部を有し、回転体ベース５４の後部右側に固定される。
駆動ギア支持部材９８は、駆動ギア９２の左側に立設される板状部を有し、回転体ベース５４の後部左側に固定される。
伝動ギア支持部材９９は、中回転体５１の後方に配置されて、回転体ベース５４の後部中央手前側に固定される部材である。この伝動ギア支持部材９９は、前方に伸びて中回転体５１の左側面に僅かな隙間で対向するガイド壁９９ａと、前方に伸びて中回転体５１の右側面に僅かな隙間で対向するガイド壁９９ｂと、を有する。
【００６３】
ガイド壁９９ａは、中回転体５１の球保持部５１ｅに保持された遊技球が、移送中に球保持部５１ｅから左方に流れ出さないように阻止する壁である。このガイド壁９９ａは、図６や図１４に示すように、前述した誘導溝５７ｂの位置から転動面７１ｂの位置まで設けられており、これにより、誘導溝５７ｂから球保持部５１ｅに入った遊技球が、図１６（ａ）に示すように中回転体５１の回転につれて上方奥側に移送され、転動面７１ｂ上に流下する構成となっている。
ガイド壁９９ｂは、中回転体５１の球保持部５１ｄに保持された遊技球が、移送中に球保持部５１ｄから右方に流れ出さないように阻止する壁である。このガイド壁９９ｂは、図６や図１４に示すように、前述した誘導溝５７ｂの位置から転動面７２ｂの位置まで設けられており、これにより、誘導溝５７ｂから球保持部５１ｄに入った遊技球が、図１６（ｂ）に示すように中回転体５１の回転につれて上方奥側に移送され、図１７（ａ），（ｂ）に示すように転動面７２ｂ上に流下する構成となっている。
【００６４】
センサ支持部材１０３は、駆動ギア９１，９２の間（ギア支持部材９９の後方）に立設される板状部を有し、回転体ベース５４の後部中央奥側に固定される部材である。
回転体Ｃモータセンサ１０１は、センサ支持部材１０３の板状部の右側面に固定される光学式のセンサであり、駆動ギア９１（即ち、中回転体５１）の回転位置や回転速度を検知するために、駆動ギア９１の外周部から突出する突起９１ａ（図１１（ａ）や図１５に示す）を検出するものである。
回転体ＬＲモータセンサ１０２は、センサ支持部材１０３の板状部の左側面に固定される光学式のセンサであり、駆動ギア９２（即ち、左右の回転体５２，５３）の回転位置や回転速度を検知するために、駆動ギア９２の外周部から突出する突起９２ａ（図１１（ａ）に示す）を検出するものである。
【００６５】
Ｃ．磁気センサの取付構成等
次に、本例の磁気センサ８５の取付構成等について、図１９及び図２０を参照して説明する。図１９は、回転体ベース５４に磁気センサ８５や取付部材８４を取り付けた状態を示す図であり、図１９（ａ）は回転体ベース５４の裏面側斜視図（正面下方から斜めに見た図）、図１９（ｂ）は回転体ベース５４の前面図、図１９（ｃ）は回転体ベース５４の裏面側斜視図（左下から斜めに見た図）である。図２０は、回転体ベース５４から磁気センサ８５や取付部材８４を取り外した状態を示す図であり、図２０（ａ）は回転体ベース５４の裏面側斜視図（左下から斜めに見た図）、図２０（ｂ）は回転体ベース５４の上面側斜視図（正面上方から斜めに見た図）である。
【００６６】
図１９（ｃ）や図２０（ａ）に示すように、回転体ベース５４の下面側であって、第二振分誘導面５４ｅの裏側の位置には、磁気センサ８５が嵌め込まれるための溝部５４ｋが形成されている。そして、磁気センサ８５は上記溝部５４ｋ内に嵌入され、その下面側から前記取付部材８４が回転体ベース５４に固定されることによって、取付部材８４と回転体ベース５４により磁気センサ８５を挟み込むようにして、磁気センサ８５が回転体ベース５４に対して非常に容易な作業で取り付けられている。なお図２０に示すように、取付部材８４の両端部には、ネジ挿通用の貫通孔８４ａが形成され、また回転体ベース５４の裏面における前記貫通孔８４ａに対応する位置には、ネジ孔５４ｍが形成されている。そして、貫通孔８４ａに挿通したネジ（図示省略）を、ネジ孔５４ｍにねじ込むことによって、取付部材８４が回転体ベース５４に固定されている。なお取付部材８４は、磁気センサ８５を取り付ける部材であるとともに、既述したように、第二振分装置８０を回転体ベース５４に取り付けるための補助取付部材としても機能している（図１４参照）。
【００６７】
また、磁気センサ８５の検出範囲は、例えば図３（ａ）に一点鎖線で示すように、当該磁気センサ８５の上面側に上下左右に一定距離だけ広がる範囲となっている。この場合、各回転体５１〜５３の前面側であって、少なくとも各回転体誘導用球通路（左振分球誘導面５４ｂ、左回転体誘導面５４ｄ、第二振分誘導面５４ｅ、右回転体誘導面５４ｈ、及び右振分球誘導面５４ｉ）や第二振分装置８０の可動片８１先端部等を含む範囲が、全て磁気センサ８５の検出範囲となっている。なお、回転体ベース５４を磁性材料によって構成して、磁気センサ８５の検出範囲を回転体ベース５４の全体に拡大することも可能である。
【００６８】
Ｄ．制御系の構成
次に、本例のパチンコ機の制御系統について、図２１及び図２２を参照して説明する。図２１は遊技盤１の裏面図であり、図２１（ａ）は後述するカバー２００ａ等が取り付いた状態、図２１（ｂ）はカバー２００ａ等を外した状態を示す。図２２は制御系統のブロック図である。
図２２において、遊技制御装置２００は、遊技の総括的制御（遊技進行の制御やそのための各被制御機器の直接的又は間接的な制御含む）を行う制御装置であり、パチンコ遊技等に必要な役物制御を行うワンチップマイコンからなる遊技用マイコン２０１（遊技用マイクロコンピュータ：いわゆるアミューズチップ用のＩＣとして製造）と、入力インターフェース２０２と、出力インターフェース２０３と、外部通信端子２０４を含んで構成されている。なお遊技制御装置２００は、図２１（ａ），（ｂ）に示すように、カバー２００ａに覆われた状態で遊技盤１の裏面の下部に取り付けられている。
【００６９】
ここで、遊技制御装置２００の入力インターフェース２０２には、中始動口ＳＷ６６、左始動口ＳＷ６７、右始動口ＳＷ６８、左袖入賞口ＳＷ７５、右袖入賞口ＳＷ７６、前述のカウントＳＷ３４、特定領域ＳＷ６２、残存球排出口ＳＷ６５、回転体Ｃモータセンサ１０１、回転体ＬＲモータセンサ１０２からの検出信号が入力される。
ここで、中始動口ＳＷ６６は、前述の始動入賞口１１に入賞した遊技球を検出するセンサであり、左始動口ＳＷ６７は、前述の始動入賞口１２に入賞した遊技球を検出するセンサであり、右始動口ＳＷ６８は、前述の始動入賞口１３に入賞した遊技球を検出するセンサである。また、左袖入賞口ＳＷ７５は、前述の左袖入賞口１４に入賞した遊技球を検出するセンサであり、右袖入賞口ＳＷ７６は、前述の右袖入賞口１５に入賞した遊技球を検出するセンサである。
なお、本願明細書及び図面において「ＳＷ」は、スイッチ（例えば、遊技球等を検出して出力が変化する一種のセンサ）を意味する。
【００７０】
一方、遊技制御装置２００の出力インターフェース２０３からは、前述の遊技状態表示ＬＥＤ１６、連続作動回数表示ＬＥＤ１７、左大入賞口ソレノイド２２ｂ、右大入賞口ソレノイド２３ｂ、左右通過切替ソレノイド３７ａ、大当たり通路切替ソレノイド３８ｅ、床ソレノイド８２、回転体Ｃモータ１０４、回転体ＬＲモータ１０５、及び遊技店の管理装置に対して盤用外部情報（例えば、大当り信号等）を送信するための盤用外部情報端子２０５などに信号が出力される。
なお、本願明細書及び図面において「ＳＯＬ」は、ソレノイド（電磁石を利用したアクチュエータ）を意味する。
【００７１】
また、出力インターフェース２０３からは、排出制御装置２０６に対して、賞球データ等の信号が出力される。即ち、遊技制御装置２００は、遊技盤１の各入賞口に対して設けられた前述の各スイッチにより遊技球の入賞が検出されると、入賞口の入賞価値に対応して予め設定された賞球数の情報（賞球データ）を、排出制御装置２０６へ送信する。そして、排出制御装置２０６では、この賞球データを受信して、それに応じた賞球排出制御を行う。
また、出力インターフェース２０３からは、説明を省略した各種のランプ２０８（ＬＥＤ含む）やスピーカ２０９からの効果音の出力などを制御する演出制御装置２０７に対して、制御情報が送信される。なお、前述のラウンド表示器２６は、演出制御装置２０７によって制御される。
また、前述の磁気センサ８５や説明を省略した振動センサ２１０からの検出信号は、演出制御装置２０７に入力され、演出制御装置２０７によって処理される構成となっている。例えば、磁気センサ８５からの検出信号がしきい値を超えると、磁石による不正があったとして、その警報を出力するための制御等が実行される。また、振動センサ２１０からの検出信号がしきい値を超えると、振動を加えることによる不正があったとして、警報を出力するための制御等が実行される。
なお演出制御装置２０７は、図２１（ａ），（ｂ）に示すように、カバー２０７ａに覆われた状態で遊技盤１の裏面の上部左側に取り付けられている。
【００７２】
Ｅ．変動入賞装置の制御
次に、変動入賞装置の制御について、図２５，２６のタイミングチャートによって説明する。
図２５は、始動入賞口１２又は１３に遊技球が入賞して可動部材２２，２３が一回開く動作（一回開きの補助遊技の動作）における主要な制御機器の作動状態を示すタイミングチャートである。図２６は、大当たり状態での主要な制御機器の作動状態を示すタイミングチャートである。
【００７３】
図２５や図２６から分かるように、遊技制御装置２００は、通常状態では、左右の大入賞口ソレノイド２２ｂ，２３ｂをオフして可動部材２２，２３を閉状態に保持する。また通常状態では、左右通過切替ソレノイド３７ａをオフとすることによって、第一振分装置３５の振分案内板３７を左振分状態に維持する。また通常状態では、大当たり通路切替ソレノイド３８ｅをオフとすることによって、前述の通路切替部材３８ｄをバイパス閉状態に維持する。また通常状態では、床ソレノイド８２をオフとすることによって、可動片８１を突出状態に維持する。
【００７４】
また遊技制御装置２００は、回転体ＬＲモータ１０４と回転体Ｃモータ１０５を常時逆方向に回転（回転体ＬＲモータ１０４を逆転、転体Ｃモータ１０５を正転とする。モータの取付向きが異なるためモータ回転方向が逆方向で中回転体５１と左右回転体５２，５３の回転方向は同方向となる）させることによって、各回転体５１〜５３を常に同一方向（正面から見て上方向）に回転させる。なお、各回転体の回転速度は、例えば一定の回転速度でよいが、回転速度を変化させるようにしてもよい。また一定速度の場合でも、保持した遊技球が特定領域へ入賞する（即ち、中回転体５１の球保持部５１ｄに入る）ことになる左右回転体５２，５３又はその球保持部が特定のものに偏ってしまわないように、さらにいえば、遊技球の発射タイミングを調整することによって遊技者が故意に補助遊技においてＶ入賞（大当たり）を狙うことが困難になるように、左右回転体５２，５３と中回転体５１の回転速度を異なるせることが好ましい。例えば、左右の回転体５２，５３を１回転当り４．２秒の周期で回転させ、中回転体５１を１回転当り１．４秒の周期で回転させる。
【００７５】
そして、始動入賞口１２又は１３に遊技球が入賞して左始動口ＳＷ６７又は右始動口ＳＷ６８がオンすると、遊技制御装置２００は、図２５に示すように、所定の停止時間（例えば１秒）が経過した後、左右の大入賞口ソレノイド２２ｂ，２３ｂを所定時間（例えば０．８秒）だけオンして可動部材２２，２３を一時的に開状態にする（即ち、大入賞口を所定時間だけ開放して補助遊技を実現する）。次いで、大入賞口開放後、所定時間（例えば０．６秒）が経過すると、左右通過切替ソレノイド３７ａを所定時間（例えば０．５秒）だけオンとすることによって、第一振分装置３５の振分案内板３７を一時的に右振分状態にする。また、大入賞口開放後、所定時間（例えば１．２秒）が経過すると、床ソレノイド８２を所定時間（例えば０．５秒）だけオンとすることによって、第二振分装置８０の可動片８１を一時的に没状態にする。これにより、いわゆる１回開きの補助遊技が実現される。
【００７６】
なおここで、左右通過切替ソレノイド３７ａを所定時間（例えば０．５秒）だけオンとして第一振分装置３５を右振分状態に保持する期間は、第一振分装置オン期間に相当する。
また、床ソレノイド８２を所定時間（例えば０．５秒）だけオンとして第二振分装置８０の可動片８１を没状態にする期間が、第二振分装置オン期間に相当する。
そして、これら第一振分装置オン期間と第二振分装置オン期間の間には、十分な遅延時間（図２５の場合には、０．１秒）が設けられている。この遅延時間は、第二通路を流下した遊技球（この場合、第一振分装置３５で右側に振り分けられた遊技球）が第二振分装置８０の位置（この場合、右回転体誘導面５４ｈ）を通過するのに十分な時間として設定されている。なお本例の場合、既述したように右側の通路（第二通路）の方が第二振分装置８０までの距離が格段に短いため、この遅延時間はその分短い時間でよい。
【００７７】
また、図示省略しているが、始動入賞口１１に遊技球が入賞して中始動口ＳＷ６６がオンした場合には、遊技制御装置２００は、図２５に示す制御と同様の制御を実行した後、大入賞口（可動部材２２，２３よりなる変動入賞装置２０内への入賞口）を所定時間だけ開状態にする制御、この大入賞口開放から所定時間経過後に第一振分装置３５を一時的に右振分状態にする制御、また大入賞口開放から所定時間経過後に可動片８１を一時的に没状態にする制御を、さらにもう１回繰り返し実行する。これにより、いわゆる２回開きの補助遊技が実現される。なお、２回目に大入賞口を開放するのは、上述した第一振分装置３５や第二振分装置８０の動作を考慮して、１回目の大入賞口解放後から所定時間（例えば、２秒間）が経過した後に行う。
【００７８】
なお、始動入賞口１１〜１３の何れかに入賞があって、上述したように補助遊技が開始されると、遊技制御装置２００は、始動入賞口１１〜１３（中始動口ＳＷ６６、左始動口ＳＷ６７、右始動口ＳＷ６８）の機能を無効にする（即ち、何れかの始動入賞口への入賞があっても、その始動入賞に対しては前述した補助遊技の制御を実行しない）。補助遊技実行中等の始動入賞を有効にすると、制御が複雑になるとともに、補助遊技の実行回数が増えて大当たりになる確率が過度に高まるからである。
そして、上述のように始動入賞が無効化された状態は、所定条件が成立すると解除する。例えば、大入賞口解放から大入賞口解放後３秒間の間に変動入賞装置２０への入賞（カウントＳＷ３４による遊技球の検出）が無かった場合は、始動入賞を有効に戻す。また、変動入賞装置２０への入賞（カウントＳＷ３４による遊技球の検出）が有った場合には、入賞した全ての遊技球が残存球排出口を通過した（即ち、残存球排出口ＳＷ６５で検出された）ときに、始動入賞を有効に戻す。
【００７９】
なお遊技制御装置２００は、補助遊技中でも大当たり中でも、カウントＳＷ３４の機能（大入賞口へ入賞する遊技球を検出し、カウントする機能）は常時有効とし、変動入賞装置２０内に残存球がある状態（カウントＳＷ３４による遊技球のカウント数＞残存球排出口ＳＷ６５による遊技球のカウント数、となっている状態）では、各始動入賞口の機能を無効とする。また、最後にカウントＳＷ３４がオンしてから３０秒経過した時点で残存球が有ると、エラー発生として、例えば変動入賞装置２０の動作を停止するとともに、エラー発生報知の処理を実行する。これは、例えば一つの補助遊技で大入賞口へ入賞して変動入賞装置２０内で滞ってしまった残存球が、次回以降の補助遊技で大入賞口へ入賞した遊技球の落下方向に何らかの変化を与えることによって、大当たり確率（Ｖ入賞率）が異常に変化することを防止するためである。
【００８０】
次に、遊技球が特定領域（転動面７２ｂ）に入賞して、特定領域ＳＷ６２がオンすると、遊技制御装置２００は、例えば乱数抽出によって大当たりラウンド数の抽選（ラウンド抽選）を行い、大当たりラウンド数を、例えば３、８、１６の何れかに決定し、ラウンド表示器２６に表示する処理（演出制御装置２０７にそのための制御情報を送信する処理）を実行する。
また、特定領域ＳＷ６２がオンして大当たりになると、遊技制御装置２００は、図２６に示すように、所定のファンファーレ時間（例えば５秒）だけ待機し、この間に大当たりになったことを演出する効果音の出力などの処理も行う。そしてこのファンファーレ時間が経過すると、左右の大入賞口ソレノイド２２ｂ，２３ｂを所定時間（例えば０．８秒）だけオンして可動部材２２，２３（大入賞口）を一時的に開状態にした後、所定時間（例えば０．８秒）だけオフして可動部材２２，２３を一時的に閉状態にする制御を、所定回数（例えば、１８回）繰り返し実行し、大当たりの１ラウンドを実現する。但し、この大当たりラウンド中に、変動入賞装置２０に入賞した遊技球数（カウントＳＷ３４で検出された遊技球数）が所定個数（例えば１０個）になると、上記大入賞口の開放回数が所定回数に到達していなくても、そのラウンドを終了する。
【００８１】
なお、このような大当たりのラウンドは、所定のウエイト時間をおいて、前述したラウンド抽選で決定されたラウンド数だけ繰り返し実行される。ここで、ウエイト時間は、前のラウンドで大入賞口への入賞（カウントＳＷ３４による遊技球の検出）が無かった場合には、規定時間（例えば、３秒間）とされ、前のラウンドで大入賞口への入賞が有った場合には、入賞した全ての遊技球が残存球排出口を通過する（即ち、残存球排出口ＳＷ６５で検出される）までを、ウエイト時間とする。ラウンド終了毎に、残存球が無いことを確認した上で、次回の大入賞口開放を行い、残存球による既述した問題を確実に回避するためである。
【００８２】
また、この大当たりラウンド中（詳しくは図２６に示すように、大入賞口の開放を繰り返している期間中）、遊技制御装置２００は、大当たり通路切替ソレノイド３８ｅをオンとすることによって、前述の通路切替部材３８ｄをバイパス開状態にする。これにより、大当たりラウンドの周期が短縮される利点がある（詳細後述する）。
また本例では、大当たりのラウンド中に、大入賞口を開放状態に連続的に維持しないで、前述したように大入賞口の開閉を繰り返すようにしているが、これにより、大入賞口を構成する可動部材２２，２３を駆動する大入賞口ソレノイド２２ｂ，２３ｂの過熱防止が信頼性高く実現できる効果がある。
【００８３】
Ｆ．遊技の流れと変動表示装置内の遊技球の流れ
次に、遊技の流れと、本例の変動表示装置２０内における遊技球の流れ等について、図２３，２４によって説明する。
図２３は、補助遊技における変動入賞装置に関連する遊技球の流れと、それによる大当たり導出結果を、フローチャート形式で説明した図である。また図２４は、大当たりラウンド中の変動入賞装置内における遊技球の流れを、フローチャート形式で説明した図である。
【００８４】
まず、補助遊技が行われていない通常状態では、可動部材２２，２３は閉状態（即ち、大入賞口は閉状態）となっているので、遊技球が変動入賞装置２０内（即ち、大入賞口内）に入賞することはない。この状態で、打ち込まれた遊技球が何れかの始動入賞口に入賞すると、既述したような制御によって、大入賞口が一時的に開状態となる補助遊技が実行される（図２３のステップＳ１参照）。
この補助遊技において、可動部材２２，２３に受け入れられて変動入賞装置２０内に入賞する遊技球が無ければ、補助遊技は外れで終わる（図２３のステップＳ２参照）。そして、この補助遊技において、可動部材２２，２３に受け入れられて変動入賞装置２０内に入賞する遊技球が有ると、遊技球は次のように変動入賞装置２０内を流れる。
【００８５】
即ち、可動部材２２，２３に受け入れられた遊技球は、まず、前述した入賞球案内棚３２及び入賞球落下穴３３を経由して、第一振分装置３５の振分案内板３７上に落下する。そして、この振分案内板３７が左振分状態にあれば、遊技球は、左側振分流路３８、左振分球導入路５９ａ、及び左振分球誘導面５４ｂを経由して、第二振分誘導面５４ｅ上に流れる。第二振分誘導面５４ｅ上に流れた遊技球は、第二振分装置８０の可動片８１が突出状態であれば、左回転体誘導面５４ｄ上に流れて左回転体５２の何れかの球保持部に入り、可動片８１が没状態であれば、場合によっては右回転体誘導面５４ｈ上に流れて右回転体５３の何れかの球保持部に入る。一方、振分案内板３７が右振分状態であるときに、入賞球落下穴３３から遊技球が落下すると、この遊技球は、右側振分流路３９、右振分球導入路６０ａ、右振分球誘導面５４ｉ、及び右回転体誘導面５４ｈを経由して、右回転体５３の何れかの球保持部に入る（図２３のステップＳ３，Ｓ４参照）。
【００８６】
次に、左回転体５２又は右回転体５３の球保持部内に流入した遊技球は、既述したようにその球保持部の種類によって、排出用開口５５ｂ又は排出用開口５６ｂから外れ球（特定領域に入賞しなかった遊技球）として排出されるか、誘導溝５７ｂ等を経て中回転体５１の球保持部に流入する（図２３のステップＳ５，Ｓ６参照）。
そして、中回転体５１の球保持部に流入した遊技球は、既述したようにその球保持部の種類によって、転動面７１ｂ上に流下して外れ球として排出されるか、転動面７２ｂ上に流下して特定領域への入賞（大当たりを発生させるいわゆるＶ入賞）となる（図２３のステップＳ７参照）。
【００８７】
次に、Ｖ入賞があって大当たりになると、既述したように大入賞口の開閉が繰り返される大当たりのラウンドが所定回数実行される大当たり遊技（特別遊技）が行われる。この大当たり中、第一振分装置３５は左振分状態に制御され、通路切替部材３８ｄはバイパス開状態に制御される。このため、大当たり中に変動入賞装置２０内に入賞した遊技球は、第一振分装置３５においては、左側に振り分けられて左側振分流路３８に流れる（図２４のステップＳ１１参照）。そして、左側振分流路３８の途中からバイパス流路３８ｃを経て排出用開口５５ｂに落下し（図２４のステップＳ１２参照）、排出用開口５５ｂを経て残存球排出口から排出される。
【００８８】
即ち、通路切替部材３８ｄやバイパス流路３８ｃの作用で、大当たり中は、補助遊技の際の経路（回転体による回転移動の経路等含む）に比較して格段に短い経路（回転体による回転移動の経路等含まない）で、遊技球が変動入賞装置２０内から瞬時に排出される。このため、前述した残存球の確認に要する時間が短縮され、前述のウエイト時間が短縮されて、ひいては大当たりラウンドの周期が短縮され、遊技機の稼働率向上等の効果が得られる。ちなみに、大当たり時にも補助遊技時と同じ経路で遊技球を流す構成であると、Ｖ入賞がラウンド継続の必要条件になっていないにもかかわらず、大当たり中にも遊技球がＶ入賞するか否かの比較的長い経路（回転体による回転移動の経路等含む）を、遊技球が流れる必要があるので、残存球の残存球排出口ＳＷ６５による検出が遅れて、往々にしてラウンド終了時の前記ウエイト時間が規定時間（例えば、３秒間）よりも長くなってしまう。そして、このようにウエイト時間が長くなると、ラウンド周期が長くなり、遊技機の稼働率低下、或いは遊技者が興ざめするなどの弊害が生じる。しかし、本例の構成であれば、このような弊害が回避される。
【００８９】
以上説明した本例の遊技機によれば、既述したように、変動入賞装置２０内に流入（入賞）した遊技球が、中回転体５１に案内される可能性（ひいてはＶ入賞の可能性）の低い左回転体５２に至る左側の通路（第一通路）と、中回転体５１に案内される可能性の高い右回転体５３に至る右側の通路（第二通路）の何れか一方に、第一振分装置３５によって振り分けられ、運が良ければ右回転体５３の球保持部５３ｄ又は左回転体５２の球保持部５２ｄを経て、中回転体５１にたどり着き、さらに運が良ければ中回転体５１の球保持部５１ｄに流入して特定領域に入賞（Ｖ入賞）して大当たりになるという、興趣の高い補助遊技が実行される。また本例の遊技機によれば、第一振分装置３５での振分で遊技者にとって不利な第一通路を遊技球が流下したとしても、第二振分装置８０での振分で遊技者に有利な第二通路に遊技球が途中でコース変更する可能性があるため、有利な第二通路へと再案内される期待感を創出できる。
【００９０】
しかも本例の遊技機によれば、変動入賞装置２０内において遊技球を特定領域に入賞させるか否かの最終的な振り分けを行う複数の回転体５１〜５３や、この回転体に向けて遊技球を誘導する回転体誘導用球通路（左振分球誘導面５４ｂ、左回転体誘導面５４ｄ、第二振分誘導面５４ｅ、右回転体誘導面５４ｈ、及び右振分球誘導面５４ｉ）が回転体ベース５４に設けられている。そして、この回転体ベース５４の下面側には、不正磁気を検出する磁気センサ８５が嵌め込まれるための溝部５４ｋが形成され、前記磁気センサ８５が該溝部５４ｋに嵌入され、その下面側から取付部材８４が回転体ベース５４に取り付けられ、当該取付部材８４により、前記磁気センサ８５が挟み込まれるように取り付けられている。
このため、磁石による不正が行われやすい範囲（回転体誘導用球通路やその周辺部分）の不正磁気を一つの磁気センサで漏れなく的確に検出可能となり、磁気センサ８５の検出範囲を適正範囲にすることで、磁気センサの数を増やすことなく磁石による不正行為を確実に防止できる。また、限られたスペースを利用した磁気センサの取付が可能である。また、改めてスペースを設けなくても、組付性の高い磁気センサの取付構造を実現できる。
【００９１】
また、第一振分装置３５によって第一通路に振り分けられた遊技球を再度第一通路又は第二通路に振り分ける第二振分装置８０が、複数の回転体（第一回転体５２、第二回転体５３及び第三回転体５１）や回転体誘導用球通路が設けられた回転体ベース５４に設けられている。そして、磁気センサ８５を挟み込むように回転体ベース５４に取り付けるための取付部材８４が、第二振分装置８０を回転体ベース５４に取り付けるための補助取付部材としても機能する構成となっている。
このため、一つの磁気センサ８５の検出範囲内に、磁石による不正が行われる可能性の高い他の部分（第二振分装置８０の部分）をさらに配置でき、磁気センサを複数設ける或いは磁性板を設けるなどのスペースや部品が多く必要な構成とすることなく、より広範囲の不正磁気を検出できる。また、磁気センサ取付用の取付部材８４が第二振分装置８０を取り付けるための補助取付部材としても機能するので、遊技球を振り分ける構成が多段階で複雑であるにもかかわらず、磁気センサ８４の取付部や第二振分装置８０の配置部分の構造をコンパクト化しかつ簡素化することができ、コスト低減や遊技盤の耐久性向上等が実現できる。
【００９２】
なお、本例の遊技機において行われる虞のある磁石による不正としては、例えば次のようなものが発生する可能性が高い。
まず第１の不正態様としては、変動入賞装置２０内に入賞した遊技球が第一通路側に流れた時に、遊技盤１の前面に磁石を接近させて左回転体誘導面５４ｄの位置又はその付近に磁石を保持し、その位置で磁石による磁力で遊技球を停留させた後、特定球保持部５２ｄが左回転体誘導面５４ｄの位置に回転してくるタイミングにあわせて磁石を遊技盤１から一気に遠ざけることによって、Ｖ入賞の可能性がある特定球保持部５２ｄに遊技球を故意に流入させるという不正行為があり得る。
また第２の不正態様としては、変動入賞装置２０内に入賞した遊技球が第二通路側に流れた時に、同様に磁石を接近させて右回転体誘導面５４ｈの位置又はその付近に磁石を保持し、その位置で磁石による磁力で遊技球を停留させた後、特定球保持部５３ｄが右回転体誘導面５４ｈの位置に回転してくるタイミングにあわせて磁石を遊技盤１から一気に遠ざけることによって、Ｖ入賞の可能性がある特定球保持部５３ｄに遊技球を故意に流入させるという不正行為があり得る。
また第３の不正態様としては、変動入賞装置２０内に入賞した遊技球が第一通路側に流れた時に、第二振分誘導面５４ｅの位置又はその付近に磁石を保持し、その位置で磁石による磁力で遊技球を停留させた後、例えば第二振分装置８０の可動片８１が下方に没している状態になった時点で、磁石を右方に動かすことによって、Ｖ入賞の可能性が高い第二通路側（右回転体誘導面５４ｈ）に遊技球を故意に流入させるという不正行為があり得る。
【００９３】
また第４の不正態様としては、変動入賞装置２０内に入賞した遊技球が特定球保持部５２ｄ又は５３ｄに流入した時に、中央前側案内部材５７の誘導溝５７ｂの位置又はその付近に磁石を保持し、その位置で磁石による磁力で遊技球を停留させた後、特定球保持部５１ｄが誘導溝５７ｂの位置に回転してくるタイミングにあわせて磁石を遊技盤１から一気に遠ざけることによって、Ｖ入賞する特定球保持部５１ｄに遊技球を故意に流入させるという不正行為があり得る。
そして本例では、上述したような不正態様の全てを磁気センサ８５によって的確に検出できる。ちなみに、磁気センサ８５に極めて近い位置にある左回転体誘導面５４ｄや第二振分誘導面５４ｅの位置で磁石を使う不正態様（例えば、上記第１の不正態様と第３の不正態様）については、仮に磁気センサ８５の検出範囲が図３（ａ）に示すものよりも狭いものであったとしても確実に検出可能であり、極めて高い信頼性で不正が検知できる。
【００９４】
なお、本発明は上述した形態例に限られず、各種の変形や応用があり得る。
例えば、前記形態例において中回転体５１を削除した構成、即ち、左回転体５２又は右回転体５３の特定球保持部５２ｄ，５３ｄに入った遊技球は必ず特定領域に入賞する構成としてもよい。
また既述したように、回転体ベース５４を磁性材料によって構成し、磁気センサ８５の検出範囲を回転体ベース５４の全体に拡大することも可能である。
また、センターケース１０内において流れたり保持されたり移送される遊技球を、遊技者がより見易くなるように、またこの遊技球の状態を演出するために、例えばセンターケース１０の裏面から光を照射し、この光の点灯状態や色を各種制御するようにしてもよい。
【００９５】
また、今回開示された実施の形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
【図面の簡単な説明】
【００９６】
【図１】パチンコ機の遊技盤の前面図である。
【図２】変動入賞装置の斜視図である。
【図３】変動入賞装置の前面図であり、（ａ）は磁気センサ手前の化粧板が取り付いた状態、（ｂ）は前記化粧板を外した状態である。
【図４】変動入賞装置の上部斜視図である。
【図５】変動入賞装置の要部斜視図である。
【図６】変動入賞装置の回転体ユニットを示す斜視図である。
【図７】同じく回転体ユニットの要部斜視図である。
【図８】変動入賞装置を遊技盤面に平行な面で切断した断面図である。
【図９】各回転体及びその駆動系を示す図であり、（ａ）は平面図、（ｂ）は（ａ）におけるＢ−Ｂ断面図、（ｃ）は（ａ）におけるＣ−Ｃ断面図、（ｄ）は（ａ）におけるＤ−Ｄ断面図である。
【図１０】回転体ユニットを示す図であり、（ａ）はの平面図であり、（ｂ）は（ａ）におけるＡ−Ａ断面図である。
【図１１】各回転体及びその駆動系を示す図であり、（ａ）は平面図、（ｂ）は（ａ）におけるＥ−Ｅ断面図である。
【図１２】各回転体及びその駆動系を示す図であり、（ａ）は平面図、（ｂ）は（ａ）におけるＦ−Ｆ断面図、（ｃ）は（ａ）におけるＧ−Ｇ断面図である。
【図１３】各回転体及びその駆動系を示す分解斜視図である。
【図１４】回転体ユニットの分解斜視図である。
【図１５】各回転体及びその駆動系を示す斜視図である。
【図１６】中回転体の球保持部による遊技球の移送状態を示す正面図であり、（ａ）は一般領域に案内される球保持部の場合、（ｂ）は特定領域に案内される球保持部の場合を示す。
【図１７】中回転体の球保持部から遊技球が特定領域に流入する状態を示す正面図であり、（ａ）は球保持部から遊技球が流出し始めた状態、（ｂ）は特定領域に流入する状態を示す。
【図１８】第二振分装置における遊技球の流れを説明する図であり、（ａ）は遊技球が右側から流入し右振分球規制壁で動きを規制された状態、（ｂ）は遊技球が右側から流入し可動片で動きを規制された状態、（ｃ）は遊技球が左側から流入し可動片で動きを規制された状態、（ｄ）は遊技球が左側から流入し可動片を乗り越えて右側に流入した状態を示す。
【図１９】回転体ベースに磁気センサや取付部材を取り付けた状態を示す図であり、（ａ）は回転体ベースの裏面側斜視図（正面下方から斜めに見た図）、（ｂ）は回転体ベースの前面図、（ｃ）は回転体ベースの裏面側斜視図（左下から斜めに見た図）である。
【図２０】回転体ベースから磁気センサや取付部材を取り外した状態を示す図であり、（ａ）は回転体ベースの裏面側斜視図（左下から斜めに見た図）、（ｂ）は回転体ベースの上面側斜視図（正面上方から斜めに見た図）である。
【図２１】遊技盤の裏面図であり、（ａ）はカバーが取り付いた状態、（ｂ）はカバーを外した状態を示す。
【図２２】制御系統のブロック図である。
【図２３】補助遊技における変動入賞装置に関連する遊技球の流れと、それによる大当たり導出結果を、フローチャート形式で説明した図である。
【図２４】大当たりラウンド中の変動入賞装置内における遊技球の流れを、フローチャート形式で説明した図である。
【図２５】補助遊技における主要な制御機器の作動状態を示すタイミングチャートである。
【図２６】大当たり状態での主要な制御機器の作動状態を示すタイミングチャートである。
【符号の説明】
【００９７】
１  遊技盤
３  遊技領域
１０  センターケース
１１〜１３  始動入賞口（所定入賞部）
２０  変動入賞装置
２２，２３  可動部材
３５  第一振分装置
３７  振分案内板
３８  左側振分流路（第一通路）
３９  右側振分流路（第二通路）
５４ｂ  左振分球誘導面（第一通路、回転体誘導用球通路）
５４ｅ  第二振分誘導面（第一通路、回転体誘導用球通路）
５４ｄ  左回転体誘導面（第一通路、回転体誘導用球通路）
５４ｈ  右回転体誘導面（第二通路、回転体誘導用球通路）
５４ｉ  右振分球誘導面（第二通路、回転体誘導用球通路）
５１  中回転体（第三回転体）
５１ｅ  球保持部（一般球保持部）
５１ｄ  球保持部（特定球保持部）
５２  左回転体（第一回転体）
５２ｅ  球保持部（一般球保持部）
５２ｄ  球保持部（特定球保持部）
５３  右回転体（第二回転体）
５３ｅ  球保持部（一般球保持部）
５３ｄ  球保持部（特定球保持部）
５４ｆ  第二振分用開口
５４ｋ  溝部
５５ｂ  排出用開口（一般領域）
５６ｂ  排出用開口（一般領域）
５９ａ  左振分球導入路（第一通路）
６０ａ  右振分球導入路（第二通路）
７１ｂ  転動面（一般領域）
７２ｂ  転動面（特定領域）
８０  第二振分装置
８４  取付部材
８５  磁気センサ
２００  遊技制御装置
２０７  演出制御装置
【図１】
2008023206.tif 000003
【図２】
2008023206.tif 000004
【図３】
2008023206.tif 000005
【図４】
2008023206.tif 000006
【図５】
2008023206.tif 000007
【図６】
2008023206.tif 000008
【図７】
2008023206.tif 000009
【図８】
2008023206.tif 000010
【図９】
2008023206.tif 000011
【図１０】
2008023206.tif 000012
【図１１】
2008023206.tif 000013
【図１２】
2008023206.tif 000014
【図１３】
2008023206.tif 000015
【図１４】
2008023206.tif 000016
【図１５】
2008023206.tif 000017
【図１６】
2008023206.tif 000018
【図１７】
2008023206.tif 000019
【図１８】
2008023206.tif 000020
【図１９】
2008023206.tif 000021
【図２０】
2008023206.tif 000022
【図２１】
2008023206.tif 000023
【図２２】
2008023206.tif 000024
【図２３】
2008023206.tif 000025
【図２４】
2008023206.tif 000026
【図２５】
2008023206.tif 000027
【図２６】
2008023206.tif 000028